(57)【要約】【課題】  本発明の課題は、墓の入口に金属製の扉を設け、この扉にロック手段を設けて、開閉を容易にすると共に、墓内部への侵入者を防止し、防犯機能を発揮できる墓入口の安全装置を提供するものである。【解決手段】  墓の入り口の扉において、該扉の下端部に蝶番が設けられ、墓の外側に上部を引いて倒して開く扉が設けられており、該扉の上部にロック手段が設けられており、墓入り口に設置され、香炉を載置するための香炉台に固定手段が設けられていることを特徴とする墓入口の安全装置である。【選択図】      図３
2006249905.tif 000002
【特許請求の範囲】
【請求項１】
墓の入り口の扉において、該扉の下端部に蝶番が設けられ、墓の外側に上部を引いて倒して開く扉が設けられており、該扉の上部にロック手段が設けられていることを特徴とする墓入口の安全装置。
【請求項２】
前記の扉において、墓の内面側に滑り止め手段が設けられていることを特徴とする請求項１に記載の墓入口の安全装置。
【請求項３】
前記の扉の外側面に、石板が取り付けられていることを特徴とする請求項１又は請求項２に記載の墓入口の安全装置。
【請求項４】
墓入り口に設置され、香炉を載置するための香炉台に固定手段が設けられていることを特徴とする墓入口の安全装置。
【請求項５】
前記の固定手段は、香炉台の左右両側の端面より墓入り口の壁面に対して突出する固定ピンと、該固定ピンが挿入される壁面の挿入孔と、固定ピンが突出した状態でロックできるロック手段とからなることを特徴とする請求項４に記載の墓入口の安全装置。
【請求項６】
前記の固定手段は、箱型の香炉台の内部に、左右にスライド可能な２本のスライドロッドが設けられ、箱型香炉台の左右側面には、スライドロッドが突出する貫通孔が設けられ、２本のスライドロッドには、各々が左右に突出した状態でロックするためのフックが各々設けられ、その両フックを固定するためのロック手段が設けられていることを特徴とする請求項４又は請求項５に記載の墓入口の安全装置。
【請求項７】
前記の香炉台の前面に石板が取り付けられていることを特徴とする請求項４又は請求項５に記載の墓入口の安全装置。
【発明の詳細な説明】
【技術分野】
【０００１】  本発明は、墓の入口部の安全装置に関するものであり、墓入口の扉のロック手段に関するものである。
【背景技術】
【０００２】  従来、墓入口に関する安全対策は、墓の倒壊の防止や香炉による火災の防止などであり、墓内への侵入者の防止を目的とするものはなかった。近年、墓に対するいたずらなどその防犯対策が見直されてきている。また、従来の墓の入口は、石ブロックなどで構成され、非常に重たく、墓の開閉は重労働であった。
【特許文献１】  特開２００２−１２９７７９号公報
【特許文献２】  特開２００２−０２１３７４号公報
【発明の開示】
【発明が解決しようとする課題】
【０００３】  本発明の課題は、墓の入口に金属製の扉を設け、この扉にロック手段を設けて、開閉を容易似すると共に、墓内部への侵入者を防止し、防犯機能を発揮できる墓入口の安全装置を提供するものである。
【課題を解決するための手段】
【０００４】  本発明の請求項１は、墓の入り口の扉において、該扉の下端部に蝶番が設けられ、墓の外側に上部を引いて倒して開く扉が設けられており、該扉の上部にロック手段が設けられていることを特徴とする墓入口の安全装置である。【０００５】  本発明の請求項２は、前記の扉において、墓の内面側に滑り止め手段が設けられていることを特徴とする墓入口の安全装置である。【０００６】  本発明の請求項３は、前記の扉の外側面に、石板が取り付けられていることを特徴とする墓入口の安全装置である。【０００７】  本発明の請求項４は、墓入り口に設置され、香炉を載置するための香炉台に固定手段が設けられていることを特徴とする墓入口の安全装置である。【０００８】  本発明の請求項５は、前記の固定手段は、香炉台の左右両側の端面より墓入り口の壁面に対して突出する固定ピンと、該固定ピンが挿入される壁面の挿入孔と、固定ピンが突出した状態でロックできるロック手段とからなることを特徴とする墓入口の安全装置である。【０００９】  本発明の請求項６は、前記の固定手段は、箱型の香炉台の内部に、左右にスライド可能な２本のスライドロッドが設けられ、箱型香炉台の左右側面には、スライドロッドが突出する貫通孔が設けられ、２本のスライドロッドには、各々が左右に突出した状態でロックするためのフックが各々設けられ、その両フックを固定するためのロック手段が設けられていることを特徴とする墓入口の安全装置である。【００１０】  本発明の請求項７は、前記の香炉台の前面に石板が取り付けられていることを特徴とする墓入口の安全装置である。
【発明の効果】
【００１１】  本発明では以下の効果を奏する。【００１２】  １）墓内部への侵入を防止でき、防犯機能を有する墓となる。【００１３】  ２）墓を開けるときに、従来のように重たい石板を移動する作業がなく、簡単に扉を開閉できる。【００１４】  ３）香炉台に固定手段を設けたので、簡単な構造でかつ安価に製造できる。【００１５】  ４）墓前面の雰囲気を壊すことなく、意匠性に優れた墓入口を提供できる。
【発明を実施するための最良の形態】
【００１６】  本発明の一実施形態について、図面を用いて説明する。【００１７】  図１は、本発明による墓入口の安全装置の実施例を示す図である。【００１８】  墓入口に取り付けられる金属製のフレーム１に、ステンレス製扉２が設けられており、その扉２の前面下部に香炉台３が設けられ、その上部に香炉４が載置されている。【００１９】  該ステンレス製扉２の前面には、化粧板となる石板を取り付けるためのフック枠８が設けられている。【００２０】  図２は、本発明による墓入口の安全装置の香炉部の実施例を示す図である。【００２１】  香炉４は、石製であり、中心にお香をたく香炉が配置され、その左右に、お神酒入れ５と花瓶６が載置されている。【００２２】  香炉台３は、箱型であり、ステンレス製である。【００２３】  その前面には化粧板となる石板をはめ込んで取り付けるフック部７が設けられている。【００２４】    図３は、本発明による墓入口の安全装置の香炉台部分の実施例を示す図である。【００２５】  図２の香炉を取り外した状態を示す図である。【００２６】  該香炉台３は、上部が開放されたステンレス製の箱型であり、その内部に、左右にスライドする、２本のスライドロッド１０、１１が設けられているおり、その２本のスライドロッド１０、１１を固定するための鍵１２が取り付けられている。【００２７】  各スライドロッド１０，１１の一端は、香炉台３の側壁に設けられた貫通孔を貫通し、さらにその外側の金属製フレームに設けられた貫通孔して墓入口部の側壁に達する。【００２８】  図４は、本発明による墓入口の安全装置の香炉台のロック手段の実施例を示す図であり、図３の鍵部の拡大図である。【００２９】  ２本のスライドロッド１０、１１には、各々フック１３、１４が設けられ、この２つのフック１３、１４を鍵１２でロックする。【００３０】  図５は、本発明による墓入口の安全装置の香炉台のロック開放状態を示す図である。【００３１】  図３の鍵１２を外し、スライドロッド１０、１１を各々内側にスライドして、金属フレーム１の貫通孔より外す。【００３２】  図６は、本発明による墓入口の安全装置の香炉台の実施例を示す図であり、図５の香炉台３を金属フレーム１より取り外したものである。【００３３】  図７は本発明による墓入口の安全装置の香炉台の背面図であり、図８はその側面図である。【００３４】  図８の符号１５は、スライドロッド１０、１１が貫通する貫通孔である。【００３５】  図９は、その貫通孔１５を貫通するスライドロッド１０の状態を示す図である。【００３６】  図１０は、本発明による墓入口の安全装置のステンレス製扉２の実施例を示す図であり、図１の香炉４と香炉５を取り外した状態を示す。【００３７】  図１１は、その扉２を前方に倒して開いた状態を示す図であり、扉２を倒して水平状態にすると、墓入口の誘導路面となり、その面に滑り止め手段として複数の凸状１６が設けられている。【００３８】  図１２は、該ステンレス製扉２のロック手段を示す図であり、金属製フレーム１に貫通孔１８が設けられ、その貫通孔にロックピン１７を挿入して扉２をロックするものであり、該ロックピン１７は、チェーンで扉の取手１９に接続されている。【００３９】  図１３は、該ステ���レス製扉２の下端部の蝶番２０を示す図である。【００４０】  図１４は、本発明による墓入口の安全装置を用いた沖縄独特に家型墓の入口を示す図であり、扉２の前面は、琉球石灰岩の板がはめ込まれており、また、琉球石灰岩による香炉が設けられている。【００４１】  このように、本発明による墓入口の安全装置を用いることにより、外観上は、通常の墓入口と同様に設置でき、ロック手段により、墓の内部への侵入を防止できる、安全で使いやすい墓入口の安全装置を提供することができる。
【図面の簡単な説明】
【００４２】
【図１】  本発明による墓入口の安全装置の一実施例を示す図である。
【図２】  本発明による墓入口の安全装置の香炉部の実施例を示す図である。
【図３】  本発明による墓入口の安全装置の香炉台部分の実施例を示す図である。
【図４】  本発明による墓入口の安全装置の香炉台のロック手段の実施例を示す図である。
【図５】  本発明による墓入口の安全装置の香炉台のロック開放状態を示す図である。
【図６】  本発明による墓入口の安全装置の香炉台の実施例を示す図である。
【図７】  本発明による墓入口の安全装置の香炉台の背面図である。
【図８】  本発明による墓入口の安全装置の香炉台の側面図である。
【図９】  本発明による墓入口の安全装置の香炉台のスライドロッドの突出状態を示す図である。
【図１０】  本発明による墓入口の安全装置のステンレス製扉の実施例を示す図である。
【図１１】  本発明による墓入口の安全装置のステンレス製扉の開いた状態を示す図である。
【図１２】  本発明による墓入口の安全装置のステンレス製扉のロック手段の実施例を示す図である。
【図１３】  本発明による墓入口の安全装置のステンレス製扉の下端部の蝶番の実施例を示す図である。
【図１４】  本発明による墓入口の安全装置の家型墓への設置状態の実施例を示す図である。
【符号の説明】
【００４３】１  金属製フレーム
２  ステンレス製扉
３  香炉台
４  香炉
５  お神酒入れ
６  花瓶
７、８  石板取付フック枠
１０、１１  スライドロッド
１２  鍵
１３、１４  フック
１５  貫通孔
１６  凸条
１７  固定ピン
１８  貫通孔
１９  取手
２０  蝶番
【図１】
2006249905.tif 000003
【図２】
2006249905.tif 000004
【図３】
2006249905.tif 000005
【図４】
2006249905.tif 000006
【図５】
2006249905.tif 000007
【図６】
2006249905.tif 000008
【図７】
2006249905.tif 000009
【図８】
2006249905.tif 000010
【図９】
2006249905.tif 000011
【図１０】
2006249905.tif 000012
【図１１】
2006249905.tif 000013
【図１２】
2006249905.tif 000014
【図１３】
2006249905.tif 000015
【図１４】
2006249905.tif 000016